【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
無線通信システムにおける無線セル間の干渉の分布を均衡化させる方法であって、前記システムが通信に複数のサブキャリアブロックが使用される複数の無線セルを有し、前記各サブキャリアブロックが複数のサブキャリアを有し、幾つかの隣接無線セルがセルクラスタを構成し、
前記サブキャリアブロックを前記セルクラスタの前記各無線セルにおける複数のサブキャリアブロックセットにグループ化するステップと、
前記セルクラスタの前記各無線セルに対して、送信電力制御に使用される送信電力レベルの範囲を定める複数の送信電力範囲を決定するステップと、
前記セルクラスタの前記無線セルの前記サブキャリアブロックセットに複数の送信電力範囲を割り当てるステップと、を備える方法。
【請求項２】
前記セルクラスタの前記無線セルそれぞれが同じサブキャリアを有する対応サブキャリアブロックセットを備える、請求項１記載の方法。
【請求項３】
単一の無線セルにおいて、前記複数の送信電力範囲それぞれが前記単一の無線セルの一つのサブキャリアブロックセットにマッピングされ、且つ、前記複数の送信電力範囲それぞれが前記セルクラスタの前記無線セルにおける前記対応サブキャリアブロックセットの一つにマッピングされるように、前記複数の送信電力範囲が前記セルクラスタの前記無線セルの前記サブキャリアブロックセットに割り当てられる、請求項２記載の方法。
【請求項４】
単一の無線セルにおいて、前記単一の無線セルの前記複数のサブキャリアブロックセットそれぞれが一つの送信電力範囲にマッピングされ、且つ、前記セルクラスタの前記無線セルにおける前記対応サブキャリアブロックセットそれぞれが前記複数の送信電力範囲の一つにマッピングされるように、前記複数の送信電力範囲が前記セルクラスタの前記無線セルの前記サブキャリアブロックセットに割り当てられる、請求項２または請求項３記載の方法。
【請求項５】
前記マッピングが固有である、あるいは、一対一のマッピングである、請求項３または請求項４記載の方法。
【請求項６】
無線通信システムにおける無線セル間の干渉の分布を均衡化させる方法であって、前記システムが通信に複数のサブキャリアブロックが使用される複数の無線セルを有し、前記各サブキャリアブロックが複数のサブキャリアを有し、Ｎ個（Ｎは２以上の整数）の隣接無線セルがセルクラスタを構成し、前記セルクラスタの前記無線セルそれぞれが同じサブキャリアを有する対応サブキャリアブロックセットを備え、
前記サブキャリアブロックを前記セルクラスタの前記各無線セルのＮ個のサブキャリアブロックセットにグループ化するステップと、
前記セルクラスタの前記各無線セルに対して、送信電力制御に使用される送信電力レベルの範囲を定めるＮ個の送信電力範囲を決定するステップと、
無線セルにおける前記Ｎ個の送信電力範囲それぞれが前記無線セルの前記Ｎ個のサブキャリアブロックセットの一つに割り当てられ、且つ、前記Ｎ個の送信電力範囲それぞれが対応サブキャリアブロックセットの一つのサブキャリアブロックセットに割り当てられるように、Ｎ個の送信電力範囲を前記セルクラスタの前記無線セルの前記Ｎ個のサブキャリアブロックセットに割り当てるステップと、を備える方法。
【請求項７】
無線通信システムにおける無線セル間の干渉の分布を均衡化させる方法であって、前記システムが通信に複数のサブキャリアブロックが使用される複数の無線セルを有し、前記各サブキャリアブロックが複数のサブキャリアを有し、Ｎ個（Ｎは２以上の整数）の隣接無線セルがセルクラスタを構成し、前記セルクラスタの前記無線セルそれぞれが同じサブキャリアを有する対応サブキャリアブロックセットを備え、
前記サブキャリアブロックを前記セルクラスタの前記各無線セルのｘ・Ｎ個（ｘは１以上の整数）のサブキャリアブロックセットにグループ化するステップと、
前記セルクラスタの前記各無線セルに対して、送信電力制御に使用される送信電力レベルの範囲を定めるｙ・Ｎ個（ｙは１以上の整数）の送信電力範囲を決定するステップと、
無線セルにおける前記ｙ・Ｎ個の送信電力範囲それぞれが前記無線セルの前記ｘ・Ｎ個のサブキャリアブロックセットの一つに割り当てられ、且つ、平均してｙ／ｘ個の送信電力範囲が対応サブキャリアブロックセットの一つのサブキャリアブロックセットに割り当てられるように、ｙ・Ｎ個の送信電力範囲を前記セルクラスタの前記無線セルの前記ｘ・Ｎ個のサブキャリアブロックセットに割り当てるステップと、を備える方法。
【請求項８】
無線通信システムにおける無線セル間の干渉の分布を均衡化させる方法であって、前記システムが少なくとも二つのセクタをそれぞれ有する複数の無線セルを有し、各セクタにおいて複数のサブキャリアブロックが通信に使用され、各サブキャリアブロックが複数のサブキャリアを有し、幾つかの隣接無線セルがセルクラスタを構成し、
前記サブキャリアブロックを前記クラスタの各無線セルの前記各セクタにおける複数のサブキャリアブロックセットにグループ化するステップと、
前記セルクラスタの各無線セルの各セクタに対して、送信電力制御に使用される送信電力レベルの範囲を定める複数の送信電力範囲を決定するステップと、
複数の送信電力範囲を無線セルのセクタおよび前記他の無線セルの隣接セクタの複数のサブキャリアブロックセットに割り当てるステップと、を備える方法。
【請求項９】
無線セルの各セクタが前記セルクラスタの前記他の無線セルに隣接セクタを有し、無線セルのセクタおよび前記他の無線セルにおける隣接セクタがセクタクラスタを構成し、それぞれ同じサブキャリアを有する対応サブキャリアブロックセットを備える、請求項８記載の方法。
【請求項１０】
無線セルの単一のセクタにおいて、前記複数の送信電力範囲それぞれが前記セクタの一つのサブキャリアブロックセットにマッピングされ、且つ、前記複数の送信電力範囲それぞれが前記セクタクラスタの前記対応サブキャリアブロックセットの一つにマッピングされるように、前記複数の送信電力範囲が前記セルクラスタの前記無線セルの前記サブキャリアブロックセットに割り当てられる、請求項９記載の方法。
【請求項１１】
無線セルの単一のセクタにおいて、前記セクタの前記複数のサブキャリアブロックセそれぞれが一つの送信電力範囲にマッピングされ、且つ、前記セクタクラスタの前記複数の対応サブキャリアブロックそれぞれが一つの送信電力範囲にマッピングされるように、前記複数の送信電力範囲が前記セルクラスタの前記無線セルの前記サブキャリアブロックセットに割り当てられる、請求項９または請求項１０記載の方法。
【請求項１２】
前記マッピングが固有の、あるいは、一対一のマッピングである、請求項１０または請求項１１記載の方法。
【請求項１３】
無線通信システムにおける無線セル間の干渉の分布を均衡化させる方法であって、前記システムが少なくとも二つのセクタをそれぞれ有する複数の無線セルを有し、各セクタにおいて複数のサブキャリアブロックが通信に使用され、各サブキャリアブロックが複数のサブキャリアを有し、幾つかの隣接無線セルがセルクラスタを構成し、無線セルの各セクタが前記セルクラスタの他の無線セルにＮ−１個（Ｎは２以上の整数）の隣接セクタを有し、無線セルのセクタおよび前記他の無線セルの隣接セクタそれぞれが同じサブキャリアを有する対応サブキャリアブロックセットを備え、
前記サブキャリアブロックを前記クラスタの各無線セルの前記セクタそれぞれにおけるＮ個のサブキャリアブロックセットにグループ化するステップと、
前記セルクラスタの各無線セルの各セクタに対して、送信電力制御に使用される送信電力レベルの範囲を定めるＮ個の送信電力範囲を決定するステップと、
セクタにおいて、無線セルのセクタにおけるＮ個の送信電力範囲それぞれが前記セクタの前記Ｎ個のサブキャリアブロックセットの一つに割り当てられ、且つ、前記Ｎ個の送信電力範囲それぞれが対応セクタの一つのサブキャリアブロックセットに割り当てられるように、Ｎ個の送信電力範囲を無線セルのセクタおよび前記他の無線セルの隣接セクタのＮ個のサブキャリアブロックセットに割り当てるステップと、を備える方法。
【請求項１４】
無線通信システムにおける無線セル間の干渉の分布を均衡化させる方法であって、前記システムが少なくとも二つのセクタをそれぞれ有する複数の無線セルを有し、各セクタにおいて複数のサブキャリアブロックが通信に使用され、各サブキャリアブロックが複数のサブキャリアを有し、幾つかの隣接無線セルがセルクラスタを構成し、無線セルの各セクタが前記セルクラスタの他の無線セルにＮ−１個（Ｎは２以上の整数）の隣接セルを有し、無線セルのセクタおよび前記他の無線セルの隣接セクタそれぞれが同じサブキャリアを有する対応サブキャリアブロックセットを備え、
前記サブキャリアブロックを前記クラスタの各無線セルの前記セクタそれぞれにおけるｘ・Ｎ個（ｘは１以上の整数）のサブキャリアブロックセットにグループ化するステップと、
前記セルクラスタの各無線セルの各セクタに対して、送信電力制御に使用される送信電力レベルの範囲を定めるｙ・Ｎ個（ｙは１以上の整数）の送信電力範囲を決定するステップと、
セクタおいて、無線セルのセクタにおけるｙ・Ｎ個の送信電力範囲それぞれが前記セクタの前記ｘ・Ｎ個のサブキャリアブロックセットの一つに割り当てられ、且つ、平均してｙ／ｘ個の送信電力範囲が対応セクタの一つのサブキャリアブロックセットに割り当てられるように、ｙ・Ｎ個の送信電力範囲を無線セルのセクタおよび前記他の無線セルの隣接セクタのｘ・Ｎ個のサブキャリアブロックセットに割り当てるステップと、を備える方法。
【請求項１５】
前記通信システムが前記複数の無線セル／セクタと関連付けられる基地局と通信する複数の通信端末を備え、
通信端末の通信信号の伝搬路損失、および、前記通信信号に対する隣接無線セル／セクタからの干渉の伝搬路損失を測定するステップと、
前記測定に基づいて前記通信端末を無線セル／セクタにおけるサブキャリアブロックセットの一つのサブキャリアブロックに割り当てるステップと、を更に備える請求項１乃至請求項１４のいずれかに記載の方法。
【請求項１６】
前記測定に基づいて前記通信端末に対する送信電力範囲を決定するステップを更に備え、前記決定された送信電力範囲に基づいて前記通信端末がブロックセットの少なくとも一つのサブキャリアブロックに割り当てられる、請求項１５記載の方法。
【請求項１７】
異なる無線セル／セクタにおける送信電力範囲が異なる、請求項１乃至請求項１６のいずれかに記載の方法。
【請求項１８】
対応サブキャリアブロックセットの前記サブキャリアブロックセットのサイズが等しい、請求項１乃至請求項１７のいずれかに記載の方法。
【請求項１９】
無線セルの無線セル／セクタにおける前記サブキャリアブロックセットを再構成するステップを更に備える、請求項１乃至請求項１８のうちいずれかに記載の方法。
【請求項２０】
無線セルの無線セル／セクタにおける前記送信電力範囲を再構成するステップを更に備える、請求項１乃至請求項１９のいずれかに記載の方法。
【請求項２１】
前記無線セルにおける前記電力範囲および／または前記サブキャリアブロックセットの再構成が、そのセルクラスタの他の無線セルに従って実行される、請求項１９または請求項２０記載の方法。
【請求項２２】
前記セクタにおける前記送信電力範囲および／または前記サブキャリアブロックセットの再構成がそのセクタクラスタの他のセクタに従って実行される、請求項１９または請求項２０記載の方法。
【請求項２３】
前記再構成がチャネル品質の測定に基づく、請求項１９乃至請求項２２のいずれかに記載の方法。
【請求項２４】
無線セル／セクタにおける前記サブキャリアブロックセットの再構成に関する情報をその無線セルから少なくとも一つの隣接無線セルにシグナリングするステップを更に備える、請求項１乃至請求項２３のいずれかに記載の方法。
【請求項２５】
無線セル／セクタにおけるチャネル品質に関する情報をその無線セルから少なくとも一つの隣接無線セルにシグナリングするステップを更に備える、請求項１９乃至請求項２４のいずれかに記載の方法。
【請求項２６】
通信システムにおける制御ユニットに情報をシグナリングするステップを更に備える、請求項２４または請求項２５記載の方法。
【請求項２７】
サブキャリアブロック割り当ておよび／またはサブキャリアブロックセット割り当てに関する情報を通信端末にシグナリングするステップを更に備える、請求項１５乃至請求項２６のいずれかに記載の方法。
【請求項２８】
無線通信システムにおける基地局であって、前記システムが通信に複数のサブキャリアブロックが使用される複数の無線セルを備え、各サブキャリアブロックが複数のサブキャリアを有し、幾つかの隣接無線セルがセルクラスタを構成し、
前記サブキャリアブロックを前記セルクラスタの前記各無線セルにおける複数のサブキャリアブロックセットにグループ化する処理手段と、
前記セルクラスタの前記無線セルそれぞれに対して複数の送信電力範囲を決定する決定手段と、
前記複数の送信電力範囲の一つによって定められる送信電力レベルの範囲内で電力制御を実行する電力制御手段と、
前記複数の送信電力範囲を前記セルクラスタの無線セルの前記サブキャリアブロックセットに割り当てる割り当て手段と、を備える基地局。
【請求項２９】
前記セルクラスタの前記無線セルそれぞれが同じサブキャリアを有する対応サブキャリアブロックセットを備える、請求項２８記載の基地局。
【請求項３０】
前記割り当て手段が、単一の無線セルにおいて、前記複数の送信電力範囲それぞれが前記単一の無線セルの一つのサブキャリアブロックセットにマッピングされ、且つ、前記複数の送信電力範囲それぞれが前記セルクラスタの前記無線セルにおける前記対応サブキャリアブロックセットの一つにマッピングされるように、前記複数の送信電力範囲を前記セルクラスタの前記無線セルの前記サブキャリアブロックセットに割り当てるよう適合される、請求項２９記載の基地局。
【請求項３１】
前記割り当て手段が、単一の無線セルにおいて、前記単一の無線セルの前記複数のサブキャリアブロックセットそれぞれが一つの送信電力範囲にマッピングされ、且つ、前記セルクラスタの前記無線セルにおける前記対応サブキャリアブロックセットそれぞれが前記複数の送信電力範囲の一つにマッピングされるように、前記複数の送信電力範囲を前記セルクラスタの前記無線セルの前記サブキャリアブロックセットに割り当てるよう適合される、請求項２９または請求項３０記載の基地局。
【請求項３２】
無線通信システムにおける基地局であって、前記システムが通信に複数のサブキャリアブロックが使用される複数の無線セルを備え、各サブキャリアブロックが複数のサブキャリアを有し、Ｎ個（Ｎは２以上の整数）の隣接無線セルがセルクラスタを構成し、前記セルクラスタの前記無線セルそれぞれが同じサブキャリアを有する対応サブキャリアブロックセットを備え、
前記サブキャリアブロックを前記セルクラスタの前記各無線セルにおけるＮ個のサブキャリアブロックセットにグループ化する処理手段と、
前記セルクラスタの前記無線セルそれぞれに対してＮ個の送信電力範囲を決定する決定手段と、
前記複数の送信電力範囲の一つによって定められる送信電力レベルの範囲内で電力制御を実行する電力制御手段と、
無線セルにおける前記Ｎ個の送信電力範囲それぞれが前記無線セルの前記Ｎ個のサブキャリアブロックセットの一つに割り当てられ、且つ、前記Ｎ個の送信電力範囲それぞれが対応サブキャリアブロックセットの一つのサブキャリアブロックセットに割り当てられるように、前記Ｎ個の送信電力範囲を前記セルクラスタの無線セルの前記Ｎ個のサブキャリアブロックセットに割り当てる割り当て手段と、を備える基地局。
【請求項３３】
無線通信システムにおける基地局であって、前記システムが通信に複数のサブキャリアブロックが使用される複数の無線セルを備え、各サブキャリアブロックが複数のサブキャリアを有し、Ｎ個（Ｎは２以上の整数）の隣接無線セルがセルクラスタを構成し、前記セルクラスタの前記無線セルそれぞれが同じサブキャリアを有する対応サブキャリアブロックセットを備え、
前記サブキャリアブロックを前記セルクラスタの前記各無線セルにおけるｘ・Ｎ個（ｘは１以上の整数）のサブキャリアブロックセットにグループ化する処理手段と、
前記セルクラスタの前記無線セルそれぞれに対してｙ・Ｎ個（ｙは１以上の整数）の送信電力範囲を決定する決定手段と、
前記複数の送信電力範囲の一つによって定められる送信電力レベルの範囲内で電力制御を実行する電力制御手段と、
無線セルにおける前記ｙ・Ｎ個の送信電力範囲それぞれが前記無線セルの前記ｘ・Ｎ個のサブキャリアブロックセットの一つに割り当てられ、且つ、平均してｙ／ｘ個の送信電力範囲が対応サブキャリアブロックセットの一つのサブキャリアブロックセットに割り当てられるように、前記ｙ・Ｎ個の送信電力範囲を前記セルクラスタの無線セルの前記ｘ・Ｎ個のサブキャリアブロックセットに割り当てる割り当て手段と、を備える基地局。
【請求項３４】
無線通信システムにおける基地局であって、前記システムが少なくとも二つのセクタをそれぞれ有する複数の無線セルを有し、各セクタにおいて複数のサブキャリアブロックが通信に使用され、各サブキャリアブロックが複数のサブキャリアを有し、幾つかの隣接無線セルがセルクラスタを構成し、
前記サブキャリアブロックを前記セルクラスタの前記各無線セルにおける複数のサブキャリアブロックセットにグループ化する処理手段と、
前記セルクラスタの前記各無線セルの各セクタに対して複数の送信電力範囲を決定する決定手段と、
前記複数の送信電量範囲の一つによって定められる送信電力レベルの範囲内で電力制御を実行する電力制御手段と、
前記複数の送信電力レベルを無線セルのセクタおよび前記他の無線セルの隣接セクタの複数のサブキャリアブロックセットに割り当てる割り当て手段と、を備える基地局。
【請求項３５】
無線セルの各セクタが前記セルクラスタの前記他の無線セルにおいて隣接セクタを有し、無線セルのセクタおよび前記他の無線セルにおける隣接セクタがセクタクラスタを構成し、それぞれ同じサブキャリアを有する対応サブキャリアブロックセットを備える、請求項３４記載の基地局。
【請求項３６】
前記割り当て手段が、無線セルの単一のセクタにおいて、前記複数の送信電力範囲それぞれが前記セクタの一つのサブキャリアブロックセットにマッピングされ、且つ、前記複数の送信電力範囲それぞれが前記セクタクラスタにおける前記対応サブキャリアブロックセットの一つにマッピングされるように、前記複数の送信電力範囲を前記セルクラスタの無線セルの前記サブキャリアブロックセットに割り当てるよう適合される、請求項３５記載の基地局。
【請求項３７】
前記割り当て手段が、無線セルの単一のセクタにおいて、前記セクタの前記複数のサブキャリアブロックセットそれぞれが一つの送信電力範囲にマッピングされ、前記セクタクラスタにおける前記複数の対応サブキャリアブロックセットそれぞれが一つの送信電力範囲にマッピングされるように、前記複数の送信電力範囲を前記セルクラスタの無線セルの前記サブキャリアブロックセットに割り当てるよう適合される、請求項３５または請求項３６記載の基地局。
【請求項３８】
無線通信システムにおける基地局であって、前記システムが少なくとも二つのセクタをそれぞれ有する複数の無線セルを備え、各セクタにおいて複数のサブキャリアブロックが通信に使用され、各サブキャリアブロックが複数のサブキャリアを有し、幾つかの隣接無線セルがセルクラスタを構成し、前記無線セルの各セクタが前記セルクラスタの他の無線セルにＮ−１個（Ｎは２以上の整数）の隣接セクタを有し、無線セルのセクタおよび前記他の無線セルにおける隣接セクタそれぞれが同じサブキャリアを有する対応サブキャリアブロックセットを備え、
前記サブキャリアブロックを前記セルクラスタの前記各無線セルのセクタそれぞれにおけるＮ個のサブキャリアブロックセットにグループ化する処理手段と、
前記セルクラスタの前記各無線セルの各セクタに対してＮ個の送信電力範囲を決定する決定手段と、
前記複数の送信電力範囲の一つによって定められる送信電力レベルの範囲内で電力制御を実行する電力制御手段と、
セクタにおいて、無線セルのセクタにおけるＮ個の送信電力範囲それぞれが前記セクタの前記Ｎ個のサブキャリアブロックセットの一つに割り当てられ、且つ、前記Ｎ個の送信電力範囲それぞれが対応セクタの一つのサブキャリアブロックセットに割り当てられるよう、前記Ｎ個の送信電力範囲を無線セルのセクタおよび前記他の無線セルの隣接セクタの前記Ｎ個のサブキャリアブロックセットに割り当てる割り当て手段と、を備える基地局。
【請求項３９】
無線通信システムにおける基地局であって、前記システムが少なくとも二つのセクタをそれぞれ有する複数の無線セルを備え、各セクタにおいて複数のサブキャリアブロックが通信に使用され、各サブキャリアブロックが複数のサブキャリアを有し、Ｎ個の隣接無線セルがセルクラスタを構成し、前記無線セルの各セクタが前記セルクラスタの他の無線セルにＮ−１個（Ｎは２以上の整数）の隣接セクタを有し、無線セルのセクタおよび前記セルクラスタの他の無線セルにおける隣接セクタそれぞれが同じサブキャリアを有する対応サブキャリアブロックセットを備え、
前記サブキャリアブロックを前記セルクラスタの前記各無線セルのセクタそれぞれにおけるｘ・Ｎ個（ｘは１以上の整数）のサブキャリアブロックセットにグループ化する処理手段と、
前記セルクラスタの前記各無線セルの各セクタに対してｙ・Ｎ個（ｙは１以上の整数）の送信電力範囲を決定する決定手段と、
前記複数の送信電力範囲の一つによって定められる送信電力レベルの範囲内で電力制御を実行する電力制御手段と、
セクタにおいて、無線セルのセクタにおけるｙ・Ｎ個の送信電力範囲それぞれが前記セクタの前記ｘ・Ｎ個のサブキャリアブロックセットの一つに割り当てられ、且つ、平均してｙ／ｘＮ個の送信電力範囲が対応セクタの一つのサブキャリアブロックセットに割り当てられるよう、前記ｙ・Ｎ個の送信電力範囲を無線セルのセクタおよび前記他の無線セルの隣接セクタの前記ｘ・Ｎ個のサブキャリアブロックセットに割り当てる割り当て手段と、を備える基地局。
【請求項４０】
請求項１乃至請求項２７のいずれかに記載の方法を実行するよう適合される、請求項２８乃至請求項３９のいずれかに記載の基地局。
【請求項４１】
通信端末の通信信号の伝搬路損失および前記通信信号に対する隣接セル間の干渉による伝搬路損失を測定する測定手段を更に備え、
前記割り当て手段は記測定に基づいて前記通信端末を前記サブキャリアブロックセットの一つに割り当てるよう適合される請求項２８乃至請求項４０のいずれかに記載の基地局。
【請求項４２】
無線通信システムにおける通信端末であって、前記システムが通信に複数のサブキャリアブロックが使用される複数の無線セルを備え、各サブキャリアブロックが複数のサブキャリアを有し、通信端末が前記通信端末と通信する無線セルの基地局との間で電力制御を実行する電力制御手段を備え、前記電力制御手段がゼロの送信電力レベルと最大の送信電力レベルとによって定められる区間における送信電力制御範囲において電力制御を実行するよう適合される、通信端末。
【請求項４３】
サブキャリアブロック割り当ておよび／またはサブキャリアブロックセット割り当てを示す情報を受信する受信手段と、
シグナリングされた割り当てられたサブキャリアブロックおよび／またはシグナリングされた割り当てられたサブキャリアブロックセットをデータ送信のために選択する選択手段と、を備える請求項４２記載の通信端末。
【請求項４４】
請求項２８乃至請求項４１のいずれかに記載の基地局と、請求項４２または請求項４３記載の少なくとも一つの通信端末と、を備える無線通信システム。